(57)【要約】      （修正有）【課題】簡単な構造を有し光ファイバと光集積素子との光結合を可能にすると共に装置の高さの増大を避ける構造の光学装置を提供する。【解決手段】光学装置１１は光集積素子１３及び光接続部品１５を備える。光接続部品１５は、プリズム２１及び光配線部品２３を含む。光配線部品２３は、複数の光ファイバ２５及びホルダを含む。光ファイバ２５の第１部分はホルダに保持され、複数の光ファイバ２５の第１部分の端部は、ホルダの第１端面２７ａに位置する。第２部分はホルダ２７の第２端面から延出する。プリズム２１の第１光端面２１ａは、複数の光ファイバ２５の第１部分の端部に光学的に結合される。プリズム２１の第２光端面２１ｂは、光集積素子１３の複数の光カプラ１９に光学的に結合される。【選択図】図１
2016090614.tif 000002
【特許請求の範囲】
【請求項１】
光通信のための光学装置であって、
光通信のための複数の光素子及び複数の光カプラを含む光集積素子と、
前記光集積素子の主面に固定された光接続部品と、
を備え、
前記光接続部品は、プリズム及び光配線部品を含み、
前記プリズムは、第１光端面、第２光端面、及び前記第１光端面及び前記第２光端面の一方から入射した光を他方に反射する凸曲面を含み、
前記光配線部品は、第１部分及び第２部分を有する複数の光ファイバと、第１端面及び第２端面を有するホルダとを含み、前記光ファイバの前記第１部分は前記ホルダに保持されて、前記光ファイバの前記第１部分が前記ホルダの前記第１端面から前記第２端面まで延在し、前記光ファイバの前記第１部分の端部は、前記ホルダの前記第１端面に位置しており、前記第２部分は前記ホルダの前記第２端面から延出し、前記第１端面は前記第２端面の反対側にあり、
前記プリズムの前記第１光端面は、前記複数の光ファイバの前記第１部分の前記端部に光学的に結合され、
前記プリズムの前記第２光端面は、前記光集積素子の前記複数の光カプラに光学的に結合される、光学装置。
【請求項２】
前記光接続部品を前記光集積素子に固定する接着部材を更に備える、請求項１に記載された光学装置。
【請求項３】
前記光接続部品は、前記プリズムと前記光配線部品との間に設けられた第１スタブ部品を更に含み、
前記第１スタブ部品は、前記プリズムの前記第１光端面に接着により固定され、前記第１スタブ部品は、前記光配線部品に接着により固定され、
前記第１スタブ部品の第１面は、前記プリズムの前記第１光端面に光学的に結合され、前記第１スタブ部品の第２面は、前記光配線部品に光学的に結合され、
前記第１スタブ部品は、前記第１面から前記第２面に延在する光導波路を有する、請求項１又は請求項２に記載された光学装置。
【請求項４】
前記光配線部品は、前記プリズムの前記第１光端面に接着により固定される、請求項１又は請求項２に記載された光学装置。
【請求項５】
前記光接続部品は、前記プリズムと前記光集積素子との間に設けられた第２スタブ部品を更に含み、
前記第２スタブ部品は、前記プリズムの前記第２光端面に接着により固定され、
前記第２スタブ部品の第１面は、前記プリズムの前記第１光端面に光学的に結合され、前記第２スタブ部品の第２面は、前記光集積素子に光学的に結合され、
前記第２スタブ部品は、前記第２スタブ部品の前記第１面から前記第２面に延在する光導波路を有する、請求項１〜請求項４のいずれか一項に記載された光学装置。
【請求項６】
前記プリズムの前記第２光端面は、前記光集積素子に接着により固定される、請求項１〜請求項４のいずれか一項に記載された光学装置。
【請求項７】
前記光配線部品は、前記光ファイバの前記第２部分の端部に設けられた光コネクタを更に含む、請求項１〜請求項６のいずれか一項に記載された光学装置。
【発明の詳細な説明】
【技術分野】
【０００１】
本発明は、光学装置に関し、特に光通信のための光学装置に関する。
【背景技術】
【０００２】
非特許文献１は、ＣＭＯＳ集積フォトニックチップを開示する。
【先行技術文献】
【非特許文献】
【０００３】
【非特許文献１】R.  Krishnamurthy,  The  Luxtera  CMOS  IntegratedPhotonic  Chip  in  a  Molex  Cable,  [online]  ,chipworks,  2012-12-03、［２０１４年４月１１日検索］、 URL:http://www.chipworks.com/blog/technologyblog/2012/12/03/the-luxtera-cmos-integrated-photonic-chip-in-a-molex-cable/
【発明の概要】
【発明が解決しようとする課題】
【０００４】
シリコンフォトニクス技術による光送受信機チップを用いてパラレルに光信号の処理及び伝送を行うために、信号光を並列して該チップに供給する。この信号供給のためには、複数の光ファイバを光送受信機チップの主面上の光カプラに光学的に結合させることを必要とする。そのための一候補は、光ファイバ端を保持する光コネクタを介して複数の光ファイバを光送受信機チップの光カプラに光学的に結合することである。複数の光ファイバは小さい間隔で配列可能であり、光送受信機チップの光カプラも小さい間隔で配列可能である。このため、光コネクタを用いる上記の接続は、光送受信機チップと複数の光ファイバとの光結合の達成が容易である点で、有効である。
【０００５】
複数の光ファイバを光送受信機チップに接続した送受信装置では、光コネクタの尾部からは、光ファイバが光送受信機チップの上方に向けて延出する。この光ファイバの最小曲げ半径によって、送受信装置の高さの最小値が規定される。この曲げ半径は、例えば光ファイバの特性及び信頼性に関連しており、これ故に、上記の接続形態における高さを小さくすることに限界がある。
【０００６】
本発明の一側面は、このような事情を鑑みて為されたものであり、光ファイバと光集積素子との光結合を可能にすると共に装置の高さの増大を避ける構造の光学装置を提供することを目的とする。
【課題を解決するための手段】
【０００７】
本発明の一側面に係る光通信のための光学装置は、光通信のための複数の光素子及び複数の光カプラを含む光集積素子と、前記光集積素子の主面に固定された光接続部品と、を備え、前記光接続部品は、プリズム及び光配線部品を含み、前記プリズムは、第１光端面、第２光端面、及び前記第１光端面及び前記第２光端面の一方から入射した光を他方に反射する凸曲面を含み、前記光配線部品は、第１部分及び第２部分を有する複数の光ファイバと、第１端面及び第２端面を有するホルダとを含み、前記光ファイバの前記第１部分は前記ホルダに保持されて、前記光ファイバの前記第１部分が前記ホルダの前記第１端面から前記第２端面まで延在し、前記光ファイバの前記第１部分の端部は、前記ホルダの前記第１端面に位置しており、前記第２部分は前記ホルダの前記第２端面から延出し、前記第１端面は前記第２端面の反対側にあり、前記プリズムの前記第１光端面は、前記複数の光ファイバの前記第１部分の前記端部に光学的に結合され、前記プリズムの前記第２光端面は、前記光集積素子の前記複数の光カプラに光学的に結合される。
【０００８】
本発明の上記の目的および他の目的、特徴、並びに利点は、添付図面を参照して進められる本発明の好適な実施の形態の以下の詳細な記述から、より容易に明らかになる。
【発明の効果】
【０００９】
以上説明したように、本発明の一側面によれば、光ファイバと光集積素子との光結合を可能にすると共に装置の高さの増大を避ける構造の光学装置が提供される。
【図面の簡単な説明】
【００１０】
【図１】図１は、本実施形態に係る光通信用の光学装置を模式的に示す図面である。
【図２】図２は、本実施形態に係る光学装置に適用されるプリズムを模式的に示す図面である。
【図３】図３は、本実施形態に係る光学装置に適用される光配線部品を模式的に示す図面である。
【図４】図４は、本実施形態に係る光学装置に適用されるスタブ部品を模式的に示す図面である。
【図５】図５は、本実施形態に係る光学装置の一形態における光伝搬を模式的に示す図面である。
【図６】図６は、本実施形態に係る光学装置に適用される光集積素子を模式的に示す図面である。
【図７】図７は、本実施形態に係る光学装置における光伝搬を模式的に示す図面である。
【図８】図８は、本実施形態に係る光学装置の一形態における光伝搬を模式的に示す図面である。
【図９】図９は、本実施形態に係る光学装置の一形態における光伝搬を模式的に示す図面である。
【図１０】図１０は、本実施形態に係る実施例１の光学装置を模式的に示す図面である。
【図１１】図１１は、本実施形態に係る実施例２の光学装置を模式的に示す図面である。
【図１２】図１２は、本実施形態に係る実施例３の光学装置を模式的に示す図面である。
【図１３】図１３は、本実施形態に係る光接続部品の組み立てを模式的に示す図面である。
【図１４】図１４は、本実施形態に係る光接続部品の組み立てを模式的に示す図面である。
【図１５】図１５は、本実施形態に係る光学装置の組み立てを模式的に示す図面である。
【図１６】図１６は、本実施形態に係るプリズムの具体例を示す図面である。
【図１７】図１７は、本実施形態に係るプリズムの具体例を示す図面である。
【発明を実施するための形態】
【００１１】
いくつかの具体例を説明する。
【００１２】
一形態に係る光学装置は、光通信のための光学装置であって、（ａ）光通信のための複数の光素子及び複数の光カプラを含む光集積素子と、（ｂ）前記光集積素子の主面に固定された光接続部品と、を備え、前記光接続部品は、プリズム及び光配線部品を含み、前記プリズムは、第１光端面、第２光端面、及び前記第１光端面及び前記第２光端面の一方から入射した光を他方に反射する凸曲面を含み、前記光配線部品は、第１部分及び第２部分を有する複数の光ファイバと、第１端面及び第２端面を有するホルダとを含み、前記光ファイバの前記第１部分は前記ホルダに保持されて、前記光ファイバの前記第１部分が前記ホルダの前記第１端面から前記第２端面まで延在し、前記光ファイバの前記第１部分の端部は、前記ホルダの前記第１端面に位置しており、前記第２部分は前記ホルダの前記第２端面から延出し、前記第１端面は前記第２端面の反対側にあり、前記プリズムの前記第１光端面は、前記複数の光ファイバの前記第１部分の前記端部に光学的に結合され、前記プリズムの前記第２光端面は、前記光集積素子の前記複数の光カプラに光学的に結合される。
【００１３】
この光学装置によれば、光接続部品内の光配線部品は、並列して光信号の伝送を可能にする。光配線部品の光ファイバは、光通信のための複数の光素子及び複数の光カプラを含む光集積素子に接続される。この接続は、光配線部品に光学的に結合されたプリズムを介して成される。このプリズムは、第１光端面及び第２光端面の一方から入射した光を他方に反射する凸曲面を含む。この凸曲面は、光の伝搬方向の変更と、集光とを可能にする。また、プリズムは、配線部品内の光ファイバの配列及び光集積素子内の光カプラの配列に合わせて、光集積素子及び光配線部品の一方から他方へ複数の光信号を並列して伝送可能な光伝送路を提供できる。この光伝送路上にプリズムが設けられて、光ファイバの第１部分の延在する向き及び光集積素子の主面に交差する向きの一方から他方への向きに光進行方向を変更する。プリズムは、その内部に屈折率分布を伴う光導波構造を含まず、小型にできる。これ故に、このプリズムに凸曲面の配列を作り込むことは容易である。凸曲面は、第１光端面及び第２光端面の一方からの発散的な光を第１光端面及び第２光端面の他方に集光する。プリズムによる光伝搬方向の変更を利用して、光接続部品内のプリズム及び光配線部品を、光集積素子主面の延在方向に沿って配列できる。光配線部品内の一群の光ファイバを曲げること無しに、光配線部品を光集積素子に光結合できる。
【００１４】
一形態に係る光学装置では、前記光接続部品を前記光集積素子に固定する接着部材を更に備える。
【００１５】
この光学装置によれば、接着部材による固定は、光学的結合及び光学的位置決めの両方を可能にする。接着部材は、固定による装置サイズ増大を避けることができる。
【００１６】
一形態に係る光学装置では、前記光接続部品は、前記プリズムと前記光配線部品との間に設けられた第１スタブ部品を更に含み、前記第１スタブ部品は、前記プリズムの前記第１光端面に接着により固定され、前記第１スタブ部品は、前記光配線部品に接着により固定され、前記第１スタブ部品の第１面は、前記プリズムの前記第１光端面に光学的に結合され、前記第１スタブ部品の第２面は、前記光配線部品に光学的に結合され、前記第１スタブ部品は、前記第１面から前記第２面に延在する光導波路を有する。
【００１７】
この光学装置によれば、第１スタブ部品により、光集積素子から光配線部品を離間できる。
【００１８】
一形態に係る光学装置では、前記光配線部品は、前記プリズムの前記第１光端面に接着により固定される。
【００１９】
この光学装置によれば、固定に起因するサイズ増大を避けて、光学的な結合及び固定が可能になる。
【００２０】
一形態に係る光学装置では、前記光接続部品は、前記プリズムと前記光集積素子との間に設けられた第２スタブ部品を更に含み、前記第２スタブ部品は、前記プリズムの前記第２光端面に接着により固定され、前記第２スタブ部品の第１面は、前記プリズムの前記第１光端面に光学的に結合され、前記第２スタブ部品の第２面は、前記光集積素子に光学的に結合され、前記第２スタブ部品は、前記第１面から前記第２面に延在する光導波路を有する。
【００２１】
この光学装置によれば、第２スタブ部品により、光配線部品及びプリズムの配列の高さを変更できる。
【００２２】
一形態に係る光学装置では、前記プリズムの前記第２光端面は、前記光集積素子に接着により固定される。
【００２３】
この光学装置によれば、光集積素子の主面上における光接続部品の高さを小さくできる。
【００２４】
一形態に係る光学装置では、前記光配線部品は、前記光ファイバの前記第２部分の端部に設けられた光コネクタを更に含む。
【００２５】
この光学装置によれば、光コネクタは、外部装置への接続を容易にする。
【００２６】
本発明の知見は、例示として示された添付図面を参照して以下の詳細な記述を考慮することによって容易に理解できる。引き続いて、添付図面を参照しながら、光通信のための光学装置、及び光接続部品、並びに光学装置及び光接続部品の製造方法に係る実施の形態を説明する。可能な場合には、同一の部分には同一の符号を付する。
【００２７】
図１は、本実施の形態に係る光通信用の光学装置を模式的に示す図面である。光学装置１１は、光集積素子１３及び光接続部品１５を備える。光接続部品１５は複雑な外観を有する。図１においては、図面の煩雑を避けるために、光接続部品１５を破線で直方体形状に描いて、光集積素子１３及び光接続部品１５の位置関係を図示する。これ故に、この破線の直方体は、光接続部品１５自体の外観を表すものではない。光接続部品１５は、プリズム２１及び光配線部品２３を含む。光接続部品１５は、光集積素子１３の主面１３ａに固定されている。光集積素子１３は、光通信のための一又は複数の光素子１７ａ、１７ｂ及び複数の光カプラ１９を含む。光カプラ１９は、光集積素子１３の表面に配列されている。光カプラの配列における隣り合う２つの光カプラの間隔（光カプラの中心間隔）は、例えば０．２５ｍｍであることができる。
【００２８】
プリズム２１は、第１光端面２１ａ、第２光端面２１ｂ及び複数の凸曲面２１ｃを含み、個々の凸曲面２１ｃは、第１光端面２１ａ及び第２光端面２１ｂの一方から入射した光を他方に反射する。図２は、本実施形態に係る光学装置に適用されるプリズムを模式的に示す図面である。プリズム２１は、一実施例では、図２の（ａ）部に示されるように、プリズム軸Ｐｘの方向に延在する三角柱の形状を成す。第１光端面２１ａ及び第２光端面２１ｂは、それぞれ、第１基準平面及び第２基準平面に沿って延在しており、凸曲面２１ｃは、第１基準平面及び第２基準平面に鋭角を成して交差する第３基準平面に沿って延在する傾斜面２１ｄに設けられ、本実施例では第１基準平面は第２基準平面に直交する。プリズム２１は３つの第１〜第３主面を有し、これらの第１〜第３主面は、それぞれ、第１基準平面、第２基準平面及び第３基準平面に沿って延在する。これ故に、プリズム２１の形状が図２の（ａ）部に示されるような三角柱であることは必須ではない。プリズム２１は、第１〜第３主面として、第１光端面２１ａ、第２光端面２１ｂ及び傾斜面２１ｄを備える。第１光端面２１ａ、第２光端面２１ｂ及び傾斜面２１ｄはプリズム軸Ｐｘの方向に延在する。凸曲面２１ｃの各々は、例えば第１光端面２１ａから入射した光を第２光端面２１ｂに反射する。入射光は発散的に進んでいても、反射光は収束的に進む。このために、凸曲面２１ｃの各々は、一実施例では、回転楕円体の表面の一部により規定されることが好ましい。図２の（ｂ）部に示されるように、複数の凸曲面２１ｃが、傾斜面２１ｄ上においてプリズム軸Ｐｘの方向に配列されている。凸曲面の配列２２は、典型的には２個以上の凸曲面を含む。図２の（ｃ）部は、図２の（ａ）部及び（ｂ）部に示されたＩＩｃ−ＩＩｃ線に沿ってとられた断面を示す。プリズム２１は、光学的な屈折率分布を生じさせることがないように実質的に単一の物質で形成される。プリズム２１は、例えばＢＫ７などのホウケイ酸ガラスで作られる。凸曲面の配列２２における隣り合う２つの凸曲面の間隔（凸曲面の中心間隔）は、例えば０．２５ｍｍであり、三角柱の長さは、例えば４．７５ｍｍである。第１光端面２１ａの幅は例えば１．４ｍｍであり、第２光端面２１ｂの幅は例えば１．４ｍｍである。
【００２９】
再び図１を参照すると、光配線部品２３は、プリズム２１と一緒に光接続部品１５に含まれている。
【００３０】
図３は、本実施形態に係る光学装置に適用される光配線部品を模式的に示す図面である。光配線部品２３は、一実施例では図３の（ａ）部に示されるように、複数の光ファイバ２５及びホルダ２７を含む。図３の（ｂ）部及び（ｃ）部に示されるように、光ファイバ２５の各々は、第１部分２５ａ及び第２部分２５ｂを有する。ホルダ２７は、第１端面２７ａ及び第２端面２７ｂを有する。第１端面２７ａは第２端面２７ｂの反対側にある。光ファイバ２５の第１部分２５ａはホルダ２７に保持される。光ファイバ２５の第１部分２５ａはホルダ２７の第１端面２７ａから第２端面２７ｂまで延在する。光ファイバ２５の第１部分２５ａの端部２５ｃは、ホルダ２７の第１端面２７ａに位置しており、第２部分２５ｂはホルダ２７の第２端面２７ｂから延出する。光配線部品２３は、光コネクタ３１を更に含むことができ、光コネクタ３１は光ファイバ２５の第２部分２５ｂの端部に設けられる。ホルダ２７は、複数の光ファイバ２５を挟み込んで保持できる上部部材２７ｃ及び下部部材２７ｄを備えることができる。ホルダ２７は例えばホウケイ酸ガラス等の耐熱性に優れ紫外光（ＵＶ光）に対し透明な材料からなる。
【００３１】
再び図１を参照すると、このような光学装置１１において、プリズム２１の第１光端面２１ａは、複数の光ファイバ２５の第１部分２５ａの端部２５ｃの各々に光学的に結合される。プリズム２１の第２光端面２１ｂは光集積素子１３の複数の光カプラ１９に光学的に結合される。
【００３２】
この光学装置１１によれば、光接続部品１５内の光配線部品２３は、並列して光信号の伝送を可能にする。光配線部品２３の光ファイバ２５は、光通信のための複数の光素子１７ａ、１７ｂ及び複数の光カプラ１９を含む光集積素子１３に結合される。この光結合は、光配線部品２３に光学的に結合されたプリズム２１を介して為される。プリズム２１は、第１光端面２１ａ及び第２光端面２１ｂの一方から入射した光を他方に反射する凸曲面２１ｃを含む。この凸曲面２１ｃは、光の伝搬方向の変更と、集光とを可能にする。プリズム２１は、光配線部品２３内の光ファイバ２５の配列及び光集積素子１３内の光カプラ１９の配列に合わせて、光集積素子１３及び光配線部品２３の一方から他方へ複数の光信号を並列して伝送可能な光伝搬路を提供できる。また、プリズム２１は、この光伝搬路上に位置して、光ファイバ２５の第１部分２５ａの延在する方向及び光集積素子１３の主面２３ａに交差する方向の一方から他方への向きに光進行の方向変換を行う。プリズム２１は、その内部に屈折率分布を伴う光導波構造を含まず、小型にできる。これ故に、このプリズム２１に凸曲面２１ｃを作り込むことは容易である。凸曲面２１ｃにより、第１光端面２１ａ及び第２光端面２１ｂの一方からの発散的な光は、第１光端面２１ａ及び第２光端面２１ｂの他方に向いた集光的な光に変換される。プリズム２１による光伝搬方向の変換により、光接続部品１５内のプリズム２１及び光配線部品２３を、光集積素子１３の主面１３ａの延在方向に沿って配列できる。光配線部品２３内の複数の光ファイバ２５の曲げ無しに、光配線部品２３を光集積素子１３に光結合できる。
【００３３】
光接続部品１５は、光集積素子１３に第１接着部材３３を介して固定される。この光学装置１１によれば、第１接着部材３３による固定は、光学的結合及び光学的位置決めの両方を可能にする。第１接着部材３３による固定は、他の固定部材を用いることによる装置サイズ増大を避けることができる。
【００３４】
図１を参照すると、光学装置１１に適用可能な典型的な光接続部品のいくつかの具体的な構成が、光接続部品１５のための構造３５ａ、３５ｂ、３５ｃとして示されている。
【００３５】
図１〜図３を参照しながら、構造３５ａを説明する。構造３５ａでは、光接続部品１５は、プリズム２１及び光配線部品２３を備える。プリズム２１の第２光端面２１ｂは、光集積素子１３の光カプラ１９に光学的に結合されており、光接続部品１５のプリズム２１が、光集積素子１３に第１接着部材３３を介して固定される。プリズム２１の第１光端面２１ａは、光配線部品２３内の光ファイバ２５に光学的に結合されており、光接続部品１５のプリズム２１が、光配線部品２３内のホルダ２７の第１端面２７ａに第２接着部材４０を介して固定される。
【００３６】
図１〜図４を参照しながら、構造３５ｂを説明する。構造３５ｂでは、光接続部品１５は、プリズム２１と光配線部品２３との間に設けられた第１スタブ部品３７を更に含む。図４は、本実施形態に係る光学装置に適用されるスタブ部品を模式的に示す図面である。第１スタブ部品３７は、スタブ３９及び光ファイバ４１を備える。スタブ３９は例えばホウケイ酸ガラス等の耐熱性に優れ紫外光（ＵＶ光）に対し透明な材料からなる。スタブ３９は、第１スタブ面３９ａ及び第２スタブ面３９ｂを含み、個々の光ファイバ４１を収容する複数の孔３９ｃを有する。孔３９ｃの各々は、第１スタブ面３９ａから第２スタブ面３９ｂに延在する。第１スタブ部品３７は、第１面３７ａから第２面３７ｂに延在する光導波路として光ファイバ４１を有する。図１に示されるように、第１スタブ部品３７はプリズム２１の第１光端面２１ａに接着部材４３ａを介して固定され、第１スタブ部品３７は光配線部品２３に接着部材４３ｂを介して固定される。第１スタブ部品３７の第１面３７ａにおける光ファイバ４１の端部はプリズム２１の第１光端面２１ａに光学的に結合され、第１スタブ部品の第２面３７ｂにおける光ファイバ４１の端部は光配線部品２３内の光ファイバ２５の端部２５ｃに光学的に結合される。
【００３７】
図１〜図４を参照しながら、構造３５ｃを説明する。構造３５ｃでは、光接続部品１５は、プリズム２１と光集積素子１３との間に設けられた第２スタブ部品４５を更に含むことができる。本実施例では、第２スタブ部品４５は第１スタブ部品３７と実質的に同様の構造を有する。第２スタブ部品４５は、スタブ３９及び光ファイバ４１を備える。第２スタブ部品４５は、第１面４５ａから第２面４５ｂに延在する光導波路として光ファイバ４１を有する。図１に示されるように、第２スタブ部品４５はプリズム２１の第２光端面２１ｂに接着部材４７を介して固定され、第２スタブ部品４５は、光集積素子１３の光カプラ１９に第１接着部材３３を介して固定される。第２スタブ部品４５の光ファイバ４１の端部はプリズム２１の第２光端面２１ｂに光学的に結合され、第２スタブ部品の光ファイバ４１の端部は光集積素子１３内の光カプラ１９に光学的に結合される。光接続ための構造は、上記の例示的な構造３５ａ、３５ｂ、３５ｃに限定されるものではなく、例えば第１スタブ部品３７及び第２スタブ部品４５を備えることができる。
【００３８】
図５を参照しながら、構造３５ａにおける光伝搬を説明する。図５の（ａ）部に示されるように、光配線部品２３内の光ファイバ２５を伝搬してきた第１１光Ｌ１１は、光ファイバ２５の端部２５ｃから発散的に広がる第１２光Ｌ１２になって、プリズム２１の第１光端面２１ａを通して凸曲面２１ｃに入射する。発散的な第１２光Ｌ１２は凸曲面２１ｃによって収束的に変換された第１３光Ｌ１３（反射光）になり、プリズム２１の第２光端面２１ｂを通して光集積素子１３の光カプラ１９に入射する。図５の（ｂ）部に示されるように、逆に、光集積素子１３内で処理された第２１光Ｌ２１は、光カプラ１９から発散的に広がって、プリズム２１の第２光端面２１ｂを通して凸曲面２１ｃに入射する。発散的な第２１光Ｌ２１は凸曲面２１ｃによって収束的な第２２光Ｌ２２（反射光）に変換されて、プリズム２１の第１光端面２１ａを通して光配線部品２３内の光ファイバ２５の端部２５ｃに入射する。光ファイバ２５において、第２３光Ｌ２３が伝搬する。
【００３９】
図６は、光集積素子の一例を示す平面図を示す。光集積素子の一例はシリコンフォトニクス素子である。図７は、図６に示されたシリコンフォトニクス素子に光学的に結合される光接続部品における光の伝搬を模式的に示す図面である。図６を参照すると、シリコンフォトニクス素子ＳｉＰＨＤでは、光カプラ１９として、複数のグレーティングカプラＧＣ１、ＧＣ２、ＧＣ３、ＧＣ４、ＧＣ５、ＧＣ６、ＧＣ７、ＧＣ８、ＣＧ９（例えば９個）が示される。グレーティングカプラが偏波光に良好に結合できるように、個々のグレーティングカプラは、同じ向きに向き付けられる（例えば、図６における矢印ＡＰ）。本実施例では、矢印ＡＰは、グレーティングカプラＧＣ１〜ＣＧ９の配列の向きに一致している。
【００４０】
グレーティングカプラＧＣ１〜ＣＧ４は、光受信器のために用いられる。このため、グレーティングカプラＧＣ１〜ＣＧ４は、外部からの信号光を光接続部品１５を介して受ける。信号光ＬＲＶ１、ＬＲＶ２、ＬＲＶ３、ＬＲＶ４は、光回路ＷＣを介して受光素子ＰＤに提供される。本実施例では、光回路ＷＣは光導波路ＷＧ１〜ＷＧ４を含むが、これに限定されるものではない。グレーティングカプラＧＣ１〜ＣＧ４は、それぞれ、光導波路ＷＧ１〜ＷＧ４を介してフォトダイオードＰＤ１〜ＰＤ４に光学的に結合される。フォトダイオードＰＤ１〜ＰＤ４は、導電線ＥＬ１〜ＥＬ４を介して電気回路ＴＩＡ（例えばトランスインピーダンスアンプ）に接続される。電気回路ＴＩＡは、フォトダイオードＰＤ１〜ＰＤ４からの電気信号（例えば光電流）の処理（例えば電流−電圧変換、増幅）を行って、受信した信号光に対応した電気信号を生成する。
【００４１】
また、グレーティングカプラＧＣ５〜ＣＧ９は、光送信器のために用いられる。本実施例では、グレーティングカプラＧＣ５からのレーザ光ＬＤは、光導波路ＷＧ５を介して複数の光変調器ＭＤに供給される。光変調器ＭＤは、例えばマッハツェンダ変調器ＭＺＩＡ、ＭＺＩＢ、ＭＺＩＣ、ＭＺＩＤを含む。マッハツェンダ変調器ＭＺＩＡ、ＭＺＩＢ、ＭＺＩＣ、ＭＺＩＤは、それぞれ、駆動回路Ｄｒｉｖｅｒから電気信号ＥＭ１、ＥＭ２、ＥＭ３及びＥＭ４を受けて、電気信号ＥＭ１〜ＥＭ４に応じて複数の変調光Ｌ１ＭＤ、Ｌ２ＭＤ、Ｌ３ＭＤ及びＬ４ＭＤを生成する。これらの変調光Ｌ１ＭＤ〜Ｌ４ＭＤは、それぞれ、光導波路ＷＧ６〜ＷＧ９を伝搬してグレーティングカプラＧＣ６〜ＣＧ９に到達する。グレーティングカプラＧＣ６〜ＣＧ９は、光接続部品１５を介して外部に信号光を提供できる。このように、光接続部品１５と光集積素子１３内のグレーティングカプラＧＣ１〜ＣＧ９との接続は、外部からの光の受入及び／又は外部への光の提供を並列して行うことを可能にする。
【００４２】
図８を参照しながら、構造３５ｂにおける光伝搬を説明する。図８の（ａ）部に示されるように、光配線部品２３内の光ファイバ２５を伝搬してきた第３１光Ｌ３１は、第１スタブ部品３７の光ファイバ４１を伝搬した後に、光ファイバ４１の端部から発散的に広がる第３２光Ｌ３２になって、この第３２光Ｌ３２はプリズム２１の第１光端面２１ａを通して凸曲面２１ｃに入射する。第３２光Ｌ３２は、凸曲面２１ｃにより反射されて、収束的な第３３光Ｌ３３になる。第３３光Ｌ３３は、プリズム２１の第２光端面２１ｂを通して光集積素子１３の光カプラ１９に入射する。図８の（ｂ）部に示されるように、逆に、光カプラ１９から放出された第４１光Ｌ４１は、発散的に第２光端面２１ｂを通して凸曲面２１ｃに入射する。第４１光Ｌ４１は、凸曲面２１ｃにより反射されて、収束的な第４２光Ｌ４２になる。第４２光Ｌ４２は、プリズム２１の第１光端面２１ａを通して光ファイバ４１の一端に入射して、第４３光Ｌ４３になって、光ファイバ４１を伝搬する。第４３光Ｌ４３は、第１スタブ部品３７の光ファイバ４１を伝搬した後に、光配線部品２３内の光ファイバ２５の端部２５ｃに光学的に結合されて、引き続き光ファイバ２５を伝搬する。
【００４３】
図９を参照しながら、構造３５ｃにおける光伝搬を説明する。図９の（ａ）部に示されるように、光配線部品２３内の光ファイバ２５を伝搬してきた第５１光Ｌ５１は、光ファイバ２５の端部２５ｃから発散的に広がる第５２光Ｌ５２になって、この第５２光Ｌ５２はプリズム２１の第１光端面２１ａを通して凸曲面２１ｃに入射する。第５２光Ｌ５２は、凸曲面２１ｃにより反射されて、収束的な第５３光Ｌ５３に変換される。第５３光Ｌ５３は、プリズム２１の第２光端面２１ｂを通して第２スタブ部品４５の光ファイバ４１に入射する。この第５４光Ｌ５４は、第２スタブ部品４５の光ファイバ４１を伝搬した後に、光ファイバ４１から光集積素子１３の光カプラ１９に入射する。図９の（ｂ）部に示されるように、逆に、光集積素子１３内で処理された光は、光カプラ１９から第２スタブ部品４５の光ファイバ４１に入射して第６１光Ｌ６１になる。第６１光Ｌ６１は第２スタブ部品４５の光ファイバ４１を伝搬した後に、第２スタブ部品４５の光ファイバ４１の端部から発散的に広がる第６２光Ｌ６２になって、この第６２光Ｌ６２はプリズム２１の第２光端面２１ｂを通して凸曲面２１ｃに入射する。第６２光Ｌ６２は、凸曲面２１ｃにより反射されて、収束的な第６３光Ｌ６３（反射光）に変換される。第６３光Ｌ６３は、プリズム２１の第１光端面２１ａを通して光配線部品２３内の光ファイバ２５の端部２５ｃに入射して、第６４光Ｌ６４が光ファイバ２５内を伝搬する。
【００４４】
（実施例１）
図１０を参照しながら、構造３５ａの実施例を説明する。光学装置１１ａは接続のための構造３５ａを有する。構造３５ａ内の光接続部品は、図１に示されるプリズム２１及び光配線部品２３を含む。シリコンフォトニクス素子Ｄは光送受信素子である。図１０の（ａ）部は光学装置１１ａを示す平面図であり、図１０の（ｂ）部は光学装置１１ａを示す側面図である。
プリズム２１の材質：ＢＫ７。
プリズム２１の高さ：ＨＰ＝１．４ｍｍ。
プリズム２１の幅：ＷＰ＝４．７５ｍｍ。
プリズム２１の奥行き：ＤＰ＝１．４ｍｍ。
凸曲面２１ｃのピッチ：ＰＰ＝０．２５ｍｍ。
ホルダ２７の材質：ホウケイ酸ガラス。
ホルダ２７の高さ：ＨＨ＝１．５ｍｍ。
ホルダ２７の幅：ＷＨ＝５．０ｍｍ。
ホルダ２７の長さ：ＬＨ＝６．０ｍｍ。
光ファイバ２５のピッチ：ＰＦ＝０．２５ｍｍ。
第１接着部材３３、第２接着部材４０：ＵＶ硬化エポキシ樹脂。
シリコンフォトニクス素子Ｄの幅：ＷＤ＝７．５ｍｍ。
グレーティングカプラのピッチ：ＰＧ＝０．２５ｍｍ。
光ファイバ２５：石英製のシングルモード光ファイバ。
シリコンフォトニクス素子Ｄの上面から光接続部品１５の上面までの距離Ｄ１：２ｍｍ以下。
構造３５ａでは、光配線部品２３が、光集積素子１３の主面１３ａから離れるように、プリズム２１の第１光端面２１ａに第２接着部材４０によって固定されている。光配線部品２３はプリズム２１によって支持されている。光配線部品２３の光ファイバ２５は、単一の基準面に沿って一次元に配列されており、この基準面は、光配線部品２３内のホルダ２７の厚さの半分よりも下面に近い。光ファイバ２５の配列面がホルダ２７の上面又は下面のいずれかに近く上面と下面との中心面から外れているので、ホルダ２７を用いることによるプリズム２１のサイズ増大を避けることができる。光ファイバ２５の配列面がホルダ２７の上面と下面との中心面から外れていることにより、ホルダ２７の下面が光集積素子１３の主面１３ａに接触するのを避けることができ、同時にホルダ２７の厚さを増してホルダ２７に十分な強度を持たせることができる。構造３５ａのホルダ２７では、上部部材２７ｃの方が下部部材２７ｄよりも厚い。光ファイバ２５の配列面の位置は、上部部材２７ｃと下部部材２７ｄの厚さを変えることによって決めることができる。また構造３５ａのホルダ２７では、上部部材２７ｃの方が下部部材２７ｄよりも長い。ホルダ２７の第２端面２７ｂ近傍では、光ファイバ２５が下部部材２７ｄに覆われていない領域がある。この領域内において、接着部材によって光ファイバ２５が上部部材２７ｃに固定される。下部部材２７ｄを短くすることにより、光ファイバ２５を好適に固定でき、さらに固定するための接着部材が第２端面２７ｂに回り込むのを防ぐことができる。プリズム２１及びホルダ２７はＵＶ光に対して透明な材料からなり、第１接着部材３３はＵＶ光によって硬化する樹脂からなる。プリズム２１と光集積素子１３との間に硬化前の接着部材を塗布した後にプリズム２１の位置を光学的に最適な位置に調芯し、その後にプリズム２１及びホルダ２７の上方からＵＶ光を照射して第１接着部材３３を硬化させるという作製手順が可能になる。このため、プリズム２１と光集積素子１３との間において良好な光学的結合を得ることができる。
【００４５】
（実施例２）
図１１を参照しながら、構造３５ｂの実施例を説明する。光学装置１１ｂは接続のための構造３５ｂを有する。構造３５ｂ内の光接続部品は、図１に示されるプリズム２１、光配線部品２３及び第１スタブ部品３７を含む。図１１の（ａ）部は光学装置１１ｂを示す平面図であり、図１１の（ｂ）部は光学装置１１ｂを示す側面図である。実施例１におけるプリズム２１及びホルダ２７に対して、第１スタブ部品３７が追加される。
第１スタブ部品３７の厚さ：ＨＳ＝１．５ｍｍ。
第１スタブ部品３７の幅：ＷＳ＝６．５ｍｍ。
第１スタブ部品３７の長さ：ＬＳ＝２．０ｍｍ。
接着部材４３ａ、４３ｂ：ＵＶ硬化エポキシ樹脂。
第１スタブ部品３７内の光ファイバ４１：石英製のシングルモード光ファイバ。
シリコンフォトニクス素子Ｄの上面から光接続部品１５の上面までの距離Ｄ２：２ｍｍ以下。
構造３５ｂでは、光配線部品２３が、第１スタブ部品３７に接着部材４３ｂによって固定されている。第１スタブ部品３７は、光集積素子１３の主面１３ａの縁から延出するようにプリズム２１の第１光端面２１ａに接着部材４３ａによって固定されている。第１スタブ部品３７の下面は、光集積素子１３の主面１３ａに接触しないようにプリズム２１の第１光端面２１ａに接着部材４３ａによって固定されている。光配線部品２３は、プリズム２１及び第１スタブ部品３７によって支持されている。第１スタブ部品３７の幅は、プリズム２１の幅より大きく、また光配線部品２３の幅より大きい。第１スタブ部品３７の光ファイバ４１は、単一の基準面に沿って一次元に配列されており、この基準面は、第１スタブ部品３７内のスタブ３９の厚さの半分よりも下面に近い。光ファイバ４１の配列面がスタブ３９の上面又は下面のいずれかに近く上面と下面との中心面から外れているので、第１スタブ部品３７を用いることによるプリズム２１のサイズ増大を避けることができる。第１スタブ部品３７と光配線部品２３とは着脱可能な構造とすることができる。構造３５ｂを作製する手順として、まずは第１スタブ部品３７とプリズム２１と光集積素子１３との間で光学的な調芯を行い、これらを第１接着部材３３及び接着部材４３ａを用いて固定する。第１スタブ部品３７、プリズム２１、第１接着部材３３、接着部材４３ａ及び光集積素子１３は、いずれも耐熱性に優れる材料から選ぶ。第１スタブ部品３７とプリズム２１と光集積素子１３の三者を固定した状態のものを、リフローハンダ付けといった高温工程で別の電気回路基板に実装とすることが可能となる。高温工程が完了した後に、光配線部品２３を接着部材により第１スタブ部品３７に固定することができる。光配線部品２３が仮に熱に弱い光ファイバ等を含んでいても、高温工程では光配線部品２３は装着されていないので、光ファイバが熱で劣化するといった問題を避けることができる。
【００４６】
（実施例３）
図１２を参照しながら、構造３５ｃの実施例を説明する。光学装置１１ｃは接続のための構造３５ｃを有する。構造３５ｃ内の光接続部品は、図１に示されるプリズム２１、光配線部品２３及び第２スタブ部品４５を含む。図１２の（ａ）部は光学装置１１ｃを示す平面図であり、図１２の（ｂ）部は光学装置１１ｃを示す側面図である。実施例１におけるプリズム２１及びホルダ２７に対して、第２スタブ部品４５が追加される。
第２スタブ部品４５の厚さ：ＨＳ＝１．５ｍｍ。
第２スタブ部品４５の幅：ＷＳ＝６．５ｍｍ。
第２スタブ部品４５の長さ：ＬＳ＝２．０ｍｍ。
第２スタブ部品４５内の光ファイバ４１：石英製のシングルモード光ファイバ。
シリコンフォトニクス素子Ｄの上面から光接続部品１５の上面までの距離Ｄ３：４．５ｍｍ以下。
構造３５ｃでは、プリズム２１の第２光端面２１ｂが第２スタブ部品４５上に接着部材４７によって固定されている。光配線部品２３が、プリズム２１の第１光端面２１ａ及び第２スタブ部品４５に第２接着部材４０によって固定されている。光配線部品２３は、第２スタブ部品４５から離れており、また光集積素子１３の主面１３ａから離れている。光配線部品２３はプリズム２１によって支持されている。第２スタブ部品４５の幅は、プリズム２１の幅より大きく、また光配線部品２３の幅より大きい。第２スタブ部品４５内の光ファイバ４１は単一の基準面に沿って一次元に配列されており、この基準面は第２スタブ部品の両側面の中心面から外れている。光配線部品２３の光ファイバ２５は、単一の基準面に沿って一次元に配列されており、構造３５ｃでは、この基準面は、光配線部品２３内のホルダ２７の中心面に位置することができる。第２スタブ部品の光ファイバ４１の配列面が第２スタブ部品４５の中心面から外れているので、第２スタブ部品４５と光配線部品２３との配置における干渉を避けることができる。光配線部品２３が、プリズム２１と第２スタブ部品４５との両方に固定されているので、固定の強度が増す。
【００４７】
光配線部品又はスタブ部品にプリズムを組み立てる際の接着を説明する。光配線部品２３及びプリズム２１を一列に配列する。光配線部品２３の光ファイバ２５からプリズム２１の第１光端面２１ａに光を入射させて、プリズム２１の第２光端面２１ｂからの出射光の量を測定して、光配線部品２３及びプリズム２１の光学的な調芯を行う。この調芯による位置決めの後に、接着剤を固化させて光配線部品２３にプリズムを組み立てる。光学的な調芯の際に、又は固化の際に、接着剤の余剰分は、重力の方向（下方へ）に自重により流れて、凸曲面２１ｃ及び第２光端面２１ｂに回り込む可能性がある。回り込んだ余剰分は、光の反射や光の透過を攪乱することもある。
【００４８】
図１３に示されるように、プリズム２１は、第１光端面２１ａ及び第２光端面２１ｂが出会う縁に面取り（Ｃ面形状）或いは曲面状に丸め（Ｒ面形状）の構造を有することができる。また、接着剤の余剰分による攪乱を避けるために、図１３の（ａ）部に示されるように、光配線部品２３及びプリズム２１を鉛直上方（重力の向きと逆方向）に配列する。矢印Ｇは、重力の向きを示す。或いは、接着剤の余剰分による攪乱を避けるために、図１３の（ｂ）部に示されるように、光配線部品２３及びプリズム２１を水平（重力の向きに対して実質的に直交する方向）に配列する。これらの組み立てにおいて、部品の配列及び／又はプリズムの構造により、凸曲面２１ｃ及び第２光端面２１ｂへ接着剤の余剰分が回り込むことを回避できる。
【００４９】
図１４に示されるように、プリズム２１は、第１光端面２１ａ及び傾斜面２１ｄが出会う縁に面取り（Ｃ面形状）或いは曲面状に丸め（Ｒ面形状）の構造を有することができる。また、接着剤の余剰分による攪乱を避けるために、図１４の（ａ）部に示されるように、光配線部品２３及びプリズム２１を鉛直上方（重力の方向と逆方向）に配列する。或いは、接着剤の余剰分による攪乱を避けるために、図１４の（ｂ）部に示されるように、光配線部品２３及びプリズム２１を水平（重力の向きに対して実質的に直交する方向）に配列する。これらの組み立てにおいて、部品の配列及びプリズムの構造により、凸曲面２１ｃ及び第２光端面２１ｂへ接着剤の余剰分が回り込むことを回避できる。
【００５０】
プリズム２１において、面取り（Ｃ面形状）或いは曲面状に丸め（Ｒ面形状）の構造は、プリズムの光端面（例えば第１光端面２１ａ）及び傾斜面２１ｄが出会う縁に加えて、第１光端面２１ａ及び第２光端面２１ｂが出会う縁に設けられることができる。また、面取り（Ｃ面形状）或いは曲面状に丸め（Ｒ面形状）の構造は、第１光端面２１ａ及び傾斜面２１ｄが出会う縁並びに第１光端面２１ａ及び第２光端面２１ｂが出会う縁に加えて、第２光端面２１ｂ及び傾斜面２１ｄが出会う縁に設けられることができる。
【００５１】
図１５は、光配線部品にプリズムを組み立てた組立体（光接続部品１５）を光集積素子１３に固定する際の接着を模式的に説明する図面である。プリズム２１が、第２光端面２１ｂ及び傾斜面２１ｄが出会う縁に、面取り（Ｃ面形状）或いは曲面状に丸め（Ｒ面形状）の構造を備えることができる。この構造によれば、光接続部品１５）を光集積素子１３に固定する際に、余剰接着剤が、凸曲面２１ｃに回り込むことを回避できる。図１６の（ａ）部及び（ｂ）部は、プリズム軸Ｐｘに直交する断面（例えば図２におけるＩＩｂ−ＩＩｂ線に沿った断面）においてプリズムを示す。図１６の（ａ）部及び（ｂ）部に示されるように、面取り（Ｃ面形状）或いは曲面状に丸め（Ｒ面形状）の構造は、０．１〜０．３ｍｍ程度であることができる。十分な集光及び光反射を可能にするために、凸曲面２１ｃは回転楕円体の曲面の一部を備えることが好ましく、凸曲面２１ｃは、傾斜面２１ｄ上における０．２〜０．５ｍｍの最大長ＤＭＡＸを有することができ、傾斜面２１ｄ上における０．２〜０．２５ｍｍの最小長ＤＭＩＮを有することができる。傾斜面２１ｄは、プリズム軸Ｐｘに直交する方向において例えば１．６ｍｍ程度の幅を有する。凸曲面２１ｃの最小長を示す向きをプリズム軸の方向に向けることにより、光ファイバ２５の配列ピッチ及び光集積素子１３における光カプラの配列ピットを縮小できる。
【００５２】
図１７は、プリズムの具体例を示す図面である。図１７の（ａ）部〜（ｃ）部は、プリズム軸Ｐｘに直交する断面（例えば図２におけるＩＩｂ−ＩＩｂ線に沿った断面）においてプリズムを示す。図１７の（ａ）部に示されるように、プリズム２１の傾斜面２１ｄは、第１光端面２１ａ及び傾斜面２１ｄが出会う縁から凸曲面２１ｃの配列を隔置する第１溝ＧＶ１を備えることができる。或いは、プリズム２１の傾斜面２１ｄは、第２光端面２１ｂ及び傾斜面２１ｄが出会う縁から凸曲面２１ｃの配列を隔置する第２溝ＧＶ２を備えることができる。必要な場合には、プリズム２１の傾斜面２１ｄは、第１溝ＧＶ１及び第２溝ＧＶ２を備えることができる。第１溝ＧＶ１及び第２溝ＧＶ２の深さは例えば０．１〜０．３ｍｍ程度であることができ、余剰の接着剤が凸曲面２１ｃに回り込むのを回避することができる。凸曲面２１ｃの配列は第１溝ＧＶ１と第２溝ＧＶ２との間に設けられる。
【００５３】
図１７の（ｂ）部に示されるように、プリズム２１の傾斜面２１ｄは、第１光端面２１ａ及び傾斜面２１ｄが出会う縁から凸曲面２１ｃの配列を隔置する第１段差Ｓ１ＴＰを備えることができる。或いは、プリズム２１の傾斜面２１ｄは、第２光端面２１ｂ及び傾斜面２１ｄが出会う縁から凸曲面２１ｃの配列を隔置する第２段差Ｓ２ＴＰを備えることができる。必要な場合には、プリズム２１の傾斜面２１ｄは、第１段差Ｓ１ＴＰ及び第２段差Ｓ２ＴＰを備えることができる。第１段差Ｓ１ＴＰ及び第２段差Ｓ２ＴＰの高さは例えば０．１〜０．３ｍｍ程度であることができ、余剰の接着剤が凸曲面２１ｃに回り込むのを回避することができる。凸曲面２１ｃの配列は第１段差Ｓ１ＴＰと第２段差Ｓ２ＴＰとの間に設けられる。
【００５４】
図１７の（ｃ）部に示されるように、プリズム２１の傾斜面２１ｄは、第１光端面２１ａ及び傾斜面２１ｄが出会う縁から凸曲面２１ｃの配列を隔置する第１壁ＷＬ１を備えることができる。或いは、プリズム２１の傾斜面２１ｄは、第２光端面２１ｂ及び傾斜面２１ｄが出会う縁から凸曲面２１ｃの配列を隔置する第２壁ＷＬ２を備えることができる。必要な場合には、プリズム２１の傾斜面２１ｄは、第１壁ＷＬ１及び第２壁ＷＬ２を備えることができる。第１壁ＷＬ１及び第２壁ＷＬ２の高さは例えば０．１〜０．３ｍｍ程度であることができ、余剰の接着剤が凸曲面２１ｃに回り込むのを回避することができる。凸曲面２１ｃの配列は第１壁ＷＬ１と第２壁ＷＬ２との間に設けられる。
【００５５】
図１７の（ａ）部〜（ｃ）部に示されるプリズム２１では、傾斜面２１ｄの幅は例えば２ｍｍ程度である。
【００５６】
図１７の（ｄ）部に示されるように、第１溝ＧＶ１、第１段差Ｓ１ＴＰ、及び第１壁ＷＬ１は、第１光端面２１ａ及び傾斜面２１ｄが出会う縁に沿って延在することができる。また、第２溝ＧＶ２、第２段差Ｓ２ＴＰ、及び第２壁ＷＬ２は、第１光端面２１ａ及び傾斜面２１ｄが出会う縁、第２光端面２１ｂ及び傾斜面２１ｄが出会う縁に沿って延在することができる。図１７の（ｅ）部に示されるように、第１壁ＷＬ１及び第２壁ＷＬ２は、凸曲面２１ｃの配列を囲むように設けられることができる。同様に、第１溝ＧＶ１及び第２溝ＧＶ２は、凸曲面２１ｃの配列を囲むように設けられることができ、第１段差Ｓ１ＴＰ及び第２段差Ｓ２ＴＰは、凸曲面２１ｃの配列を囲むように設けられることができる。図１７の（ａ）部〜（ｅ）部に示されるプリズム２１は、接着剤の回り込みが光学特性に与える影響を低減できる。上記の障壁の縁と凸曲面２１ｃの縁との間隔は、０．１〜０．５ｍｍ程度であることができる。余剰の接着剤が凸曲面２１ｃに回り込むのを回避することができる。
【００５７】
好適な実施の形態において本発明の原理を図示し説明してきたが、本発明は、そのような原理から逸脱することなく配置および詳細において変更され得ることは、当業者によって認識される。本発明は、本実施の形態に開示された特定の構成に限定されるものではない。したがって、特許請求の範囲およびその精神の範囲から来る全ての修正および変更に権利を請求する。
【産業上の利用可能性】
【００５８】
以上説明したように、本実施の形態によれば、簡単な構造を有し光ファイバと光集積素子との光結合を可能にすると共に装置の高さの増大を避ける構造の光学装置を提供できる。
【符号の説明】
【００５９】
１１、１１ａ、１１ｂ、１１ｃ…光学装置、１３…光集積素子、１５…光接続部品、１９…光カプラ、２１…プリズム、２３…光配線部品、２１ａ…第１光端面、２１ｂ…第２光端面、２１ｃ…凸曲面、２５…光ファイバ、２７…ホルダ、３７…第１スタブ部品、３９…スタブ、４１…光ファイバ。
【図１】
2016090614.tif 000003
【図２】
2016090614.tif 000004
【図３】
2016090614.tif 000005
【図４】
2016090614.tif 000006
【図５】
2016090614.tif 000007
【図６】
2016090614.tif 000008
【図７】
2016090614.tif 000009
【図８】
2016090614.tif 000010
【図９】
2016090614.tif 000011
【図１０】
2016090614.tif 000012
【図１１】
2016090614.tif 000013
【図１２】
2016090614.tif 000014
【図１３】
2016090614.tif 000015
【図１４】
2016090614.tif 000016
【図１５】
2016090614.tif 000017
【図１６】
2016090614.tif 000018
【図１７】
2016090614.tif 000019